(57)【要約】【課題】撮像部が透明カバーで覆われたドーム型カメラにおいて、レンズを水平方向に向けたときに、ケラレを発生させることなく、かつ、レンズと透明カバーとの距離を一定に保つことにより、画像に歪みを生じさせず、高品質な画像を移すことができるドーム型カメラを提供することができる。【解決手段】撮像部が湾曲した透明カバーで覆われ、撮像部を駆動部のモータによって旋回させて、透明カバー方向に、撮像部のレンズを向けて撮像するドーム型カメラにおいて、モータの回転を第一の歯車を伝えて、撮像部を旋回させ、かつ、モータの回転を第二の歯車を伝えて、第二の歯車の回転をラックの上下運動に変えて、ラックにより撮像部を上下方向に移動するようにする。【選択図】図１
2011124706.tif 000002
【特許請求の範囲】
【請求項１】
撮像部が湾曲した透明カバーで覆われ、前記撮像部を駆動部のモータによって旋回させて、透明カバー方向に、前記撮像部のレンズを向けて撮像するドーム型カメラにおいて、
前記モータの回転を第一の歯車を伝えて、前記撮像部を旋回させ、かつ、前記モータの回転を第二の歯車を伝えて、前記第二の歯車の回転をラックの上下運動に変えて、前記ラックにより前記撮像部を上下方向に移動するようにしたドーム型カメラ。
【発明の詳細な説明】
【技術分野】
【０００１】
本発明は、ドーム型カメラに係り、特に、カメラの撮像部分を覆う透明カバーにより映像が不均一になるのを防止するドーム型カメラに関する。
【背景技術】
【０００２】
ドーム型カメラは、防犯用などの監視カメラとしてよく用いられ、相手に監視カメラが設置してあるという事を意識させず不快感を与えにくい形状をしたカメラである。このドーム型カメラは、オフィス入り口や店舗監視用、マンションのエントランスなどの監視として、天井部分に設置されることが多く、カメラのレンズ部分が外から見難いので、監視角度がわかりにくく、死角スペースにも防犯効果を与える効果が得られるとされる。
【０００３】
特許文献１には、ズームレンズの焦点位置により、ズームレンズの旋回範囲を制御するドーム型カメラが開示されている。
【先行技術文献】
【特許文献】
【０００４】
【特許文献１】特開２００２−３５９７７０号公報
【発明の概要】
【発明が解決しようとする課題】
【０００５】
以下、図３および図４を用いて、従来技術に係るドーム型カメラの構造について説明する。
図３は、従来技術に係るドーム型カメラの断面図である。
図４は、従来技術に係るドーム型カメラの旋回機構の駆動部の斜視図である。
【０００６】
ドーム型カメラは、図３に示されるように、胴体部１８と湾曲した形状の透明カバー１２で覆われた形状をしている。そして、通常は、監視対象とする施設の天井などに透明カバー１２が下向き（図３のｙ方向）になるように取り付ける。
【０００７】
ドーム型カメラの旋回機構の駆動部は、図４に示されるように、撮像部１３、および、撮像部１３を取り付けるベース１４、それらを旋回させるモータ１５、プーリ１６、および、ベルト１７で構成され、撮像部の回転軸１１を中心に回転するようになっている。
【０００８】
図３に示されるように、撮像部の回転軸１１は、透明カバーの中心位置２０を通る回転軸１１′とは一致せず、湾曲した透明カバー１２の内面に寄せて、回転軸１１′よりも、下方に配置されている。これは、撮像部のレンズが水平方向を向いた際の画像にケラレをなくすためである。ケラレとは、レンズの本来の設計上は想定していないような使用法によって、周辺が暗くなることをいう。
【０００９】
しかしながら、透明カバーの方向に寄せた回転軸１１では、透明カバーの中心位置２０を通っておらず、レンズと透明カバーとの距離を一定に保つことが不可能になり、画像に歪みが発生してしまうという問題点がある。
【００１０】
レンズと透明カバーとの距離を一定に保つためには、撮像部の回転軸１１を湾曲した透明カバー１２の中心を通る位置に設定すればよい。しかしながら、水平方向の画像に対してケラレが発生してしまうという問題点がある。
【００１１】
本発明は、上記問題点を解決するためになされたもので、その目的は、撮像部が透明カバーで覆われたドーム型カメラにおいて、レンズを水平方向に向けたときに、ケラレを発生させることなく、かつ、レンズと透明カバーとの距離を一定に保つことにより、画像に歪みを生じさせず、高品質な画像を移すことができるドーム型カメラを提供することにある。
【課題を解決するための手段】
【００１２】
本発明のドーム型カメラは、撮像部が湾曲した透明カバーで覆われ、撮像部を駆動部のモータによって旋回させて、透明カバー方向に、撮像部のレンズを向けて撮像するドーム型カメラであり、モータの回転を第一の歯車を伝えて、撮像部を旋回させ、かつ、モータの回転を第二の歯車を伝えて、第二の歯車の回転をラックの上下運動に変えて、ラックにより撮像部を上下方向に移動するようにする。
【００１３】
これにより、撮像部のレンズと透明カバーの距離を一定に保ち、レンズと透明カバーの距離が不均一になることによる映像の歪みを防止し、高品質な画像を映し出すことができる。
【発明の効果】
【００１４】
本発明によれば、撮像部が透明カバーで覆われたドーム型カメラにおいて、レンズを水平方向に向けたときに、ケラレを発生させることなく、かつ、レンズと透明カバーとの距離を一定に保つことにより、画像に歪みを生じさせず、高品質な画像を移すことができるドーム型カメラを提供することができる。
【図面の簡単な説明】
【００１５】
【図１】本発明の一実施形態に係るドーム型カメラの旋回機構の駆動部の斜視図である。
【図２】本発明の一実施形態に係るドーム型カメラの断面図で、撮像部のレンズの角度を変えたときを対比して示した図である。
【図３】従来技術に係るドーム型カメラの断面図である。
【図４】従来技術に係るドーム型カメラの旋回機構の駆動部の斜視図である。
【発明を実施するための形態】
【００１６】
以下、本発明に係る一実施形態を、図１および図２を用いて説明する。
図１は、本発明の一実施形態に係るドーム型カメラの旋回機構の駆動部の斜視図である。
図２は、本発明の一実施形態に係るドーム型カメラの断面図で、撮像部のレンズの角度を変えたときを対比して示した図である。
図１は、本発明のカメラ旋回機構の駆動部を示す外観図である。
【００１７】
撮像部１のレンズ１９が透明カバー１２との距離を一定に保つようにカメラを上下させるため、撮像部回転用の歯車とは、別に撮像部１を上下に移動させる歯車３およびラック４が設けられている。撮像部を回転させるモータ５の回転は、歯車６を介して歯車７に伝達され、同じ軸上に構成されたウォームギア８を介してウォームホイール９に回転伝達され、撮像部１の回転をおこなう。また、歯車６は、カメラ１を上下に移動させるための歯車３ともかみ合っており、ラック４によりカメラ１を上下方向に動作させる。
【００１８】
レンズ１９が水平方向（ｘ方向）に向く場合には、撮像部と透明カバー１２との位置関係は、図２（ａ）に示されるようになり、レンズと透明カバー１２との距離は、距離Ａとなる。そして、この回転動作と上下動作を同期させることにより、レンズが垂直方向（ｙ方向）に向く場合には、図２（ｂ）に示されるように、レンズと透明カバーの距離が一定になるように、撮像部１の回転に連動して、撮像部１が上下方向へ移動し、レンズ１９と透明カバー１２の距離Ｂを距離Ａと同じになるように調整する。これにより、透明カバー１２とレンズ１９との距離を一定に保つことができ、歪みのない安定した画像を取得できるようになる。
【符号の説明】
【００１９】
１…撮像部、２…ベース、３…歯車、４…ラック、５…モータ、６…歯車、７…歯車、８…ウォームギア、９…ウォームホイール、
１１，１１′…撮像部回転軸、１２…透明カバー、１３…カメラ、１４…取付けベース、１５…モータ、１６…プーリ、１７…ベルト、１８…胴体部、１９…レンズ、２０…透明カバーの中心位置。
【図１】
2011124706.tif 000003
【図２】
2011124706.tif 000004
【図３】
2011124706.tif 000005
【図４】
2011124706.tif 000006